(57)【要約】【課題】小型化が可能で、操作者が容易に前後のスイッチを認識することができるウインドウ開閉装置を提供する。【解決手段】ウインドウ開閉装置１は、例えば、右前ノブ２ａの先端部２０になされた操作に基づいて車両６の右前ウインドウ６１０の開閉を指示可能な右前ウインドウスイッチ２と、左前ノブ３ａの先端部３０になされた操作に基づいて左前ウインドウ６２０の開閉を指示可能な左前ウインドウスイッチ３と、右後ノブ４ａの先端部４０になされた操作に基づいて右後ウインドウ６３０の開閉を指示可能な右後ウインドウスイッチ４と、左後ノブ５ａの先端部５０になされた操作に基づいて車両６の左後ウインドウ６４０の開閉を指示可能な左後ウインドウスイッチ５を備え、右前ノブ２ａの先端部２０及び左前ノブ３ａの先端部３０が、右後ノブ４ａの先端部４０及び左後ノブ５ａの先端部５０とは異なる方向に向くように配置される。【選択図】図１
2013157105.tif 000002
【特許請求の範囲】
【請求項１】
第１のノブを有し、前記第1のノブの一方端になされた操作に基づいて車両の右前方のウインドウの開閉を指示可能な第１のウインドウスイッチと、
前記第１のノブと隣り合って配置される第２のノブを有し、前記第２のノブの一方端になされた操作に基づいて前記車両の左前方のウインドウの開閉を指示可能な第２のウインドウスイッチと、
第３のノブを有し、前記第３のノブの一方端になされた操作に基づいて前記車両の右後方のウインドウの開閉を指示可能な第３のウインドウスイッチと、
前記第３のノブと隣り合って配置される第４のノブを有し、前記第４のノブの一方端になされた操作に基づいて前記車両の左後方のウインドウの開閉を指示可能な第４のウインドウスイッチと、
を備え、
前記第１のノブの一方端及び前記第２のノブの一方端が、前記第３のノブの一方端及び前記第４のノブの一方端とは異なる方向に向くように配置されるウインドウ開閉装置。
【請求項２】
前記第１のノブの一方端が、前記第３のノブの一方端と向かい合い、
前記第２のノブの一方端が、前記第４のノブの一方端と向かい合うように配置される請求項１に記載のウインドウ開閉装置。
【請求項３】
前記第１のウインドウスイッチ及び前記第２のウインドウスイッチが、前記車両の前方側で、かつ、それぞれの一方端が前記車両の前記前方を向くように配置され、
前記第３のウインドウスイッチ及び前記第４のウインドウスイッチが、前記車両の後方側で、かつ、それぞれの一方端が前記車両の前記後方を向くように配置される請求項１に記載のウインドウ開閉装置。
【発明の詳細な説明】
【技術分野】
【０００１】
本発明は、ウインドウ開閉装置に関する。
【背景技術】
【０００２】
従来の技術として、車両の前後左右の４つのドアを開閉可能なパワーウインドウスイッチノブ群を、ウインドウガラスの前後左右位置に対応させて配置したパワーウインドウスイッチが知られている（例えば、特許文献１参照。）。
【０００３】
このパワーウインドウスイッチは、ノブの上方端部が凸状となるように形成され、前方のノブは後のノブの前方斜め下方位置に配置され、後のノブの先端部は前方ノブの後方端の上方で重なるように配置される。従って、パワーウインドウスイッチは、操作者が指の感触により間違えることなくノブを識別できる。
【先行技術文献】
【特許文献】
【０００４】
【特許文献１】特開２００３−３９９４７号公報
【発明の概要】
【発明が解決しようとする課題】
【０００５】
しかし、従来のパワーウインドウスイッチは、前方のウインドウガラスを開閉する操作、及び後方のウインドウガラスを開閉する操作が同じ操作であることから、目で確認するか、又は前後のノブを触らないと前方のウインドウガラスが開閉するのか、後方のウインドウガラスが開閉するのか、を判断することは困難である。
【０００６】
従って、本発明の目的は、小型化が可能で、操作者が容易に前後のスイッチを認識することができるウインドウ開閉装置を提供することにある。
【課題を解決するための手段】
【０００７】
本発明の一態様は、第１のノブを有し、第１のノブの一方端になされた操作に基づいて車両の右前方のウインドウの開閉を指示可能な第１のウインドウスイッチと、第１のノブと隣り合って配置される第２のノブを有し、第２のノブの一方端になされた操作に基づいて車両の左前方のウインドウの開閉を指示可能な第２のウインドウスイッチと、第３のノブを有し、第３のノブの一方端になされた操作に基づいて車両の右後方のウインドウの開閉を指示可能な第３のウインドウスイッチと、第３のノブと隣り合って配置される第４のノブを有し、第４のノブの一方端になされた操作に基づいて車両の左後方のウインドウの開閉を指示可能な第４のウインドウスイッチと、を備え、第１のノブの一方端及び第２のノブの一方端が、第３のノブの一方端及び第４のノブの一方端とは異なる方向に向くように配置されるウインドウ開閉装置を提供する。
【発明の効果】
【０００８】
本発明によれば、小型化が可能で、操作者が容易に前後のスイッチを認識することができる。
【図面の簡単な説明】
【０００９】
【図１】図１（ａ）は、実施の形態に係るウインドウ開閉装置の斜視図であり、（ｂ）は、ウインドウ開閉装置の上面図であり、（ｃ）は、ウインドウ開閉装置のブロック図である。
【図２】図２（ａ）は、実施の形態に係るウインドウ開閉装置によって制御されるウインドウの配置を説明するための車両の上面図であり、（ｂ）は、ウインドウ開閉装置が配置される位置を説明するためのドア内側の概略図である。
【図３】図３（ａ）は、実施の形態に係るウインドウ開閉装置の右前ノブの押下操作を説明するための概略図であり、（ｂ）は、実施の形態に係るウインドウ開閉装置の右前ノブの引上操作を説明するための概略図である。
【図４】図４（ａ）は、実施の形態に係るウインドウ開閉装置の右後ノブの押下操作を説明するための概略図であり、（ｂ）は、実施の形態に係るウインドウ開閉装置の右後ノブの引上操作を説明するための概略図である。
【図５】図５（ａ）は、実施の形態に係るウインドウ開閉装置になされた全てのウインドウを一斉に開ける動作を説明するための概略図であり、（ｂ）は、変形例に係るウインドウ開閉装置１の上面図である。
【発明を実施するための形態】
【００１０】
（実施の形態の要約）
実施の形態に係るウインドウ開閉装置は、第１のノブを有し、第1のノブの一方端になされた操作に基づいて車両の右前方のウインドウの開閉を指示可能な第１のウインドウスイッチと、第１のノブと隣り合って配置される第２のノブを有し、第２のノブの一方端になされた操作に基づいて車両の左前方のウインドウの開閉を指示可能な第２のウインドウスイッチと、第３のノブを有し、第３のノブの一方端になされた操作に基づいて車両の右後方のウインドウの開閉を指示可能な第３のウインドウスイッチと、第３のノブと隣り合って配置される第４のノブを有し、第４のノブの一方端になされた操作に基づいて車両の左後方のウインドウの開閉を指示可能な第４のウインドウスイッチと、を備え、第１のノブの一方端及び第２のノブの一方端が、第３のノブの一方端及び第４のノブの一方端とは異なる方向に向くように配置される。
【００１１】
[実施の形態]
（ウインドウ開閉装置１の構成）
図１（ａ）は、実施の形態に係るウインドウ開閉装置の斜視図であり、（ｂ）は、ウインドウ開閉装置の上面図であり、（ｃ）は、ウインドウ開閉装置のブロック図である。図２（ａ）は、実施の形態に係るウインドウ開閉装置によって制御されるウインドウの配置を説明するための車両の上面図であり、（ｂ）は、ウインドウ開閉装置が配置される位置を説明するためのドア内側の概略図である。なお、実施の形態に係る各図において、部品と部品との比率は、実際の比率とは異なる場合がある。また、以下に記載する前後左右は、特に断らない限り、車両６を基準としている。すなわち、前後は、車両６の前後、左右は、運転手（操作者）から見た左右である。
【００１２】
ウインドウ開閉装置１は、例えば、図１（ａ）及び図２（ａ）に示すように、第１のノブとしての右前ノブ２ａを有し、右前ノブ２ａの一方端としての先端部２０になされた操作に基づいて車両６の右前方のウインドウとしての右前ウインドウ６１０の開閉を指示可能な第１のウインドウスイッチとしての右前ウインドウスイッチ２を備える。
【００１３】
また、ウインドウ開閉装置１は、例えば、図１（ａ）及び図２（ａ）に示すように、右前ノブ２ａと隣り合って配置される第２のノブとしての左前ノブ３ａを有し、左前ノブ３ａの一方端としての先端部３０になされた操作に基づいて車両６の左前方のウインドウとしての左前ウインドウ６２０の開閉を指示可能な第２のウインドウスイッチとしての左前ウインドウスイッチ３を備える。
【００１４】
また、ウインドウ開閉装置１は、例えば、図１（ａ）及び図２（ａ）に示すように、第３のノブとしての右後ノブ４ａを有し、右後ノブ４ａの一方端としての先端部４０になされた操作に基づいて車両６の右後方のウインドウとしての右後ウインドウ６３０の開閉を指示可能な第３のウインドウスイッチとしての右後ウインドウスイッチ４を備える。
【００１５】
さらに、ウインドウ開閉装置１は、例えば、図１（ａ）及び図２（ａ）に示すように、右後ノブ４ａと隣り合って配置される第４のノブとしての左後ノブ５ａを有し、左後ノブ５ａの一方端としての先端部５０になされた操作に基づいて車両６の左後方のウインドウとしての左後ウインドウ６４０の開閉を指示可能な第４のウインドウスイッチとしての左後ウインドウスイッチ５を備える。
【００１６】
そしてウインドウ開閉装置１は、例えば、図１（ａ）及び（ｂ）に示すように、右前ノブ２ａの先端部２０及び左前ノブ３ａの先端部３０が、右後ノブ４ａの先端部４０及び左後ノブ５ａの先端部５０とは異なる方向に向くように配置される。
【００１７】
また、右前ウインドウスイッチ２及び左前ウインドウスイッチ３が、右後ウインドウスイッチ４及び左後ウインドウスイッチ５よりも車両６の後方に配置される。
【００１８】
ここで、本実施の形態に係るウインドウ開閉装置１は、右前ノブ２ａの先端部２０が、右後ノブ４ａの先端部４０と向かい合い、左前ノブ３ａの先端部３０が、左後ノブ５ａの先端部５０と向かい合うように配置されている。
【００１９】
なお、右前ウインドウスイッチ２及び左前ウインドウスイッチ３が、車両６の前方側で、かつ、それぞれの先端部が車両６の前方を向くように配置され、右後ウインドウスイッチ４及び左後ウインドウスイッチ５が、車両６の後方側で、かつ、それぞれの先端部が車両６の後方を向くように配置されるウインドウ開閉装置１については、後述する。
【００２０】
車両６は、例えば、図２（ａ）に示すように、右前ウインドウ６１０が開閉可能に配置された右前ドア６１と、左前ウインドウ６２０が開閉可能に配置された左前ドア６２と、右後ウインドウ６３０が開閉可能に配置された右後ドア６３と、左後ウインドウ６４０が開閉可能に配置された左後ドア６４と、を備えている。
【００２１】
ウインドウ開閉装置１は、例えば、図２（ｂ）に示すように、右前ドア６１内側のパネル６１１に設けられた肘掛６１２の上面６１３の図示しない凹部に配置されている。この肘掛６１２は、例えば、操作者の右前腕をのせたときに、その右手がウインドウ開閉装置１を操作し易い位置となるように構成されている。
【００２２】
ウインドウ開閉装置１の本体１０は、例えば、図１（ａ）及び（ｂ）に示すように、上面が開放された細長い箱形状を有し、右前ノブ２ａ、左前ノブ３ａ、右後ノブ４ａ及び左後ノブ５ａが配置された凹部１２を備える。本体１０は、例えば、短手方向の辺が車両６の前後方向に位置し、長手方向の辺が車両６の左右方向に位置する。
【００２３】
この凹部１２には、例えば、後方側の短手方向の中央から突出する仕切板１０ａと、前方側の短手方向の中央から突出する仕切板１０ｂと、が設けられている。仕切板１０ａによって凹部１２の後方側が、さらに２つの凹部に分けられ、図１（ａ）の紙面上側が第１の凹部１２ａ、下側が第２の凹部１２ｂとなる。また、仕切板１０ｂによって凹部１２の前方側が、さらに２つの凹部に分けられ、図１（ａ）の紙面上側が第３の凹部１２ｃ、下側が第４の凹部１２ｄとなる。
【００２４】
第１の凹部１２ａには、例えば、右前ウインドウスイッチ２が配置されている。また、この第１の凹部１２ａには、例えば、右前ノブ２ａの押し下げ、及び引き上げができるように、後述する開口部１２ｆ（図３（ｂ）参照）が形成されている。
【００２５】
第２の凹部１２ｂには、例えば、左前ウインドウスイッチ３が配置されている。また、この第２の凹部１２ｂには、例えば、左前ノブ３ａの押し下げ、及び引き上げができるように、第１の凹部１２ａの開口部１２ｆと同様の開口部が形成されている。
【００２６】
第３の凹部１２ｃには、例えば、右後ウインドウスイッチ４が配置されている。また、この第３の凹部１２ｃには、例えば、右後ノブ４ａの押し下げ、及び引き上げができるように、後述する開口部１２ｇ（図４（ｂ）参照）が形成されている。
【００２７】
第４の凹部１２ｄには、例えば、左後ウインドウスイッチ５が配置されている。また、この第４の凹部１２ｄには、例えば、左後ノブ５ａの押し下げ、及び引き上げができるように、第３の凹部１２ｃの開口部１２ｇと同様の開口部が形成されている。
【００２８】
凹部１２の中央には、例えば、図１（ａ）及び（ｂ）に示すように、操作領域１４が形成されている。この操作領域１４は、右前ノブ２ａ、左前ノブ３ａ、右後ノブ４ａ及び左後ノブ５ａにより囲まれ、操作者の指が入る領域である。操作者が、例えば、肘掛６１２に右前腕をのせたときに、その指が操作領域１４にかかるように、ウインドウ開閉装置１は配置される。
【００２９】
（右前ウインドウスイッチ２の構成）
右前ウインドウスイッチ２は、例えば、図１（ｃ）に示すように、右前ノブ２ａと、スイッチ２ｂと、を備えて概略構成されている。右前ノブ２ａは、例えば、先端部２０を押し下げる操作（以下に押下操作と記載する。）、及び先端部２０を引き上げる操作（以下に引上操作と記載する。）が可能となるように、支持軸１５によって回転可能に支持されている。この支持軸１５は、一例として、図１（ｂ）に示すように、右前ノブ２ａの端部２２、及び左前ノブ３ａの端部３２を短手方向から貫通するように、本体１０に取り付けられた軸である。右前ノブ２ａ及び左前ノブ３ａは、この支持軸１５を回転軸として回転する。
【００３０】
右前ウインドウスイッチ２は、例えば、図１（ａ）に示すように、先端部２０と凹部１２の底部１２ｅの間の側面に、操作凹部２１が形成されている。操作者は、例えば、この操作凹部２１の先端部２０側に指先を掛けて引上操作を行う。また、先端部２０には、例えば、短手方向に沿って複数の凸部が形成されている。操作者は、この先端部２０の凸部に触れることで、視線を移動することなく先端部２０を認識可能である。
【００３１】
スイッチ２ｂは、例えば、制御部６００に電気的に接続されている。スイッチ２ｂは、例えば、押下操作がなされると第１のオン状態となり、押下操作を示す信号を制御部６００に出力し、引上操作がなされると第２のオン状態となり、引上操作を示す信号を制御部６００に出力するように構成されている。制御部６００は、例えば、右前ノブ２ａに押下操作がなされると、右前ウインドウ６１０を開けるようにモータ６１０ａを制御する。また、制御部６００は、例えば、右前ノブ２ａに引上操作がなされると、右前ウインドウ６１０を閉めるようにモータ６１０ａを制御する。このモータ６１０ａは、例えば、右前ウインドウ６１０を開閉させる機構に接続されている。
【００３２】
（左前ウインドウスイッチ３の構成）
左前ウインドウスイッチ３は、例えば、図１（ｃ）に示すように、左前ノブ３ａと、スイッチ３ｂと、を備えて概略構成されている。左前ノブ３ａは、例えば、先端部３０の押下操作、及び先端部３０の引上操作が可能となるように構成されている。
【００３３】
左前ウインドウスイッチ３は、例えば、図１（ａ）に示すように、先端部３０と凹部１２の底部１２ｅの間の側面に、操作凹部３１が形成されている。操作者は、例えば、この操作凹部３１の先端部３０側に指先を掛けて引上操作を行う。また、先端部３０には、例えば、短手方向に沿って複数の凸部が形成されている。操作者は、この先端部３０の凸部に触れることで、視線を移動することなく先端部３０を認識可能である。
【００３４】
スイッチ３ｂは、例えば、制御部６００に電気的に接続されている。スイッチ３ｂは、例えば、押下操作がなされると第１のオン状態となり、押下操作を示す信号を制御部６００に出力し、引上操作がなされると第２のオン状態となり、引上操作を示す信号を制御部６００に出力するように構成されている。制御部６００は、例えば、左前ノブ３ａに押下操作がなされると、左前ウインドウ６２０を開けるようにモータ６２０ａを制御する。また、制御部６００は、例えば、左前ノブ３ａに引上操作がなされると、左前ウインドウ６２０を閉めるようにモータ６２０ａを制御する。このモータ６２０ａは、例えば、左前ウインドウ６２０を開閉させる機構に接続されている。
【００３５】
（右後ウインドウスイッチ４の構成）
右後ウインドウスイッチ４は、例えば、図１（ｃ）に示すように、右後ノブ４ａと、スイッチ４ｂと、を備えて概略構成されている。右後ノブ４ａは、例えば、先端部４０の押下操作、及び先端部４０の引上操作が可能となるように、支持軸１６によって回転可能に支持されている。この支持軸１６は、一例として、図１（ｂ）に示すように、右後ノブ４ａの端部４２、及び左後ノブ５ａの端部５２を短手方向から貫通するように、本体１０に取り付けられた軸である。右後ノブ４ａ及び左後ノブ５ａは、この支持軸１６を回転軸として回転する。
【００３６】
右後ウインドウスイッチ４は、例えば、図１（ａ）に示すように、先端部４０と凹部１２の底部１２ｅの間の側面に、操作凹部４１が形成されている。操作者は、例えば、この操作凹部４１の先端部４０側に指先を掛けて引上操作を行う。また、先端部４０には、例えば、短手方向に沿って複数の凸部が形成されている。操作者は、この先端部４０の凸部に触れることで、視線を移動することなく先端部４０を認識可能である。
【００３７】
スイッチ４ｂは、例えば、制御部６００に電気的に接続されている。スイッチ４ｂは、例えば、押下操作がなされると第１のオン状態となり、押下操作を示す信号を制御部６００に出力し、引上操作がなされると第２のオン状態となり、引上操作を示す信号を制御部６００に出力するように構成されている。制御部６００は、例えば、右後ノブ４ａに押下操作がなされると、右後ウインドウ６３０を開けるようにモータ６３０ａを制御する。また、制御部６００は、例えば、右後ノブ４ａに引上操作がなされると、右後ウインドウ６３０を閉めるようにモータ６３０ａを制御する。このモータ６３０ａは、例えば、右後ウインドウ６３０を開閉させる機構に接続されている。
【００３８】
（左後ウインドウスイッチ５の構成）
左後ウインドウスイッチ５は、例えば、図１（ｃ）に示すように、左後ノブ５ａと、スイッチ５ｂと、を備えて概略構成されている。左後ノブ５ａは、例えば、先端部５０の押下操作、及び先端部５０の引上操作が可能となるように構成されている。
【００３９】
左後ウインドウスイッチ５は、例えば、図１（ａ）に示すように、先端部５０と凹部１２の底部１２ｅの間の側面に、操作凹部５１が形成されている。操作者は、例えば、この操作凹部５１の先端部５０側に指先を掛けて引上操作を行う。また、先端部５０には、例えば、短手方向に沿って複数の凸部が形成されている。操作者は、この先端部５０の凸部に触れることで、視線を移動することなく先端部５０を認識可能である。
【００４０】
スイッチ５ｂは、例えば、制御部６００に電気的に接続されている。スイッチ５ｂは、例えば、押下操作がなされると第１のオン状態となり、押下操作を示す信号を制御部６００に出力し、引上操作がなされると第２のオン状態となり、引上操作を示す信号を制御部６００に出力するように構成されている。制御部６００は、例えば、左後ノブ５ａに押下操作がなされると、左後ウインドウ６４０を開けるようにモータ６４０ａを制御する。また、制御部６００は、例えば、左後ノブ５ａに引上操作がなされると、左後ウインドウ６４０を閉めるようにモータ６４０ａを制御する。このモータ６４０ａは、例えば、左後ウインドウ６４０を開閉させる機構に接続されている。
【００４１】
以下に、本実施の形態に係るウインドウ開閉装置１の動作について、各図を参照しながら説明する。なお、左前ウインドウスイッチ３の操作は、右前ウインドウスイッチ２の操作と同様であり、左後ウインドウスイッチ５の操作は、右後ウインドウスイッチ４の操作と同様であることから、以下では、右前ウインドウスイッチ２及び右後ウインドウスイッチ４の操作に基づく動作について説明する。
【００４２】
（右前ウインドウ６１０を開ける動作）
図３（ａ）は、実施の形態に係るウインドウ開閉装置の右前ノブの押下操作を説明するための概略図である。
【００４３】
操作者は、例えば、図３（ａ）に示すように、右前ウインドウ６１０を開けるため、指の先によって右前ノブ２ａの先端部２０を押下げる。この際、右前ノブ２ａの下部の一部は、開口部１２ｆに入り込む。
【００４４】
右前ノブ２ａは、この押下操作により、手のひら側に位置する端部２２の支持軸１５を回転軸として凹部１２の底部１２ｅ方向に回転する。この回転により、スイッチ２ｂが第１のオン状態となり、押下操作を示す信号を制御部６００に出力する。
【００４５】
制御部６００は、スイッチ２ｂから取得した押下操作を示す信号に基づいてモータ６１０ａを制御して右前ウインドウ６１０を開ける方向に駆動させる。
【００４６】
（右前ウインドウ６１０を閉じる動作）
図３（ｂ）は、実施の形態に係るウインドウ開閉装置の右前ノブの引上操作を説明するための概略図である。
【００４７】
操作者は、例えば、図３（ｂ）に示すように、右前ウインドウ６１０を閉じるため、指の先を操作領域１４に入れ、さらに、右前ノブ２ａの操作凹部２１に指を掛け、右前ノブ２ａを引き上げる。
【００４８】
右前ノブ２ａは、この引上操作により、手のひら側に位置する端部２２の支持軸１５を回転軸として凹部１２の底部１２ｅ方向とは逆方向に回転する。この回転により、スイッチ２ｂが第２のオン状態となり、引上操作を示す信号を制御部６００に出力する。
【００４９】
制御部６００は、スイッチ２ｂから取得した引上操作を示す信号に基づいてモータ６１０ａを制御して右前ウインドウ６１０を閉じる方向に駆動させる。
【００５０】
（右後ウインドウ６３０を開ける動作）
図４（ａ）は、実施の形態に係るウインドウ開閉装置の右後ノブの押下操作を説明するための概略図である。
【００５１】
操作者は、例えば、図４（ａ）に示すように、右後ウインドウ６３０を開けるため、指の先によって右後ノブ４ａの先端部４０を押下げる。この際、右後ノブ４ａの下部の一部は、開口部１２ｇに入り込む。
【００５２】
右後ノブ４ａは、この押下操作により、手から離れた位置にある端部４２の支持軸１６を回転軸として凹部１２の底部１２ｅ方向に回転する。この回転により、スイッチ４ｂが第１のオン状態となり、押下操作を示す信号を制御部６００に出力する。
【００５３】
制御部６００は、スイッチ４ｂから取得した押下操作を示す信号に基づいてモータ６３０ａを制御して右後ウインドウ６３０を開ける方向に駆動させる。
【００５４】
（右後ウインドウ６３０を閉じる動作）
図４（ｂ）は、実施の形態に係るウインドウ開閉装置の右後ノブの引上操作を説明するための概略図である。
【００５５】
操作者は、例えば、図４（ｂ）に示すように、右後ウインドウ６３０を閉じるため、手ひらを返し、指の腹を操作凹部４１に掛けて引き上げる。又は、操作者は、例えば、指の先を操作領域１４に入れ、さらに、右後ノブ４ａの操作凹部４１に指の爪部分を掛け、右後ノブ４ａを引き上げる。
【００５６】
右後ノブ４ａは、この引上操作により、手から離れた位置にある端部４２の支持軸１６を回転軸として凹部１２の底部１２ｅ方向とは逆方向に回転する。この回転により、スイッチ４ｂが第２のオン状態となり、引上操作を示す信号を制御部６００に出力する。
【００５７】
制御部６００は、スイッチ４ｂから取得した引上操作を示す信号に基づいてモータ６３０ａを制御して右後ウインドウ６３０を閉じる方向に駆動させる。
【００５８】
（全てのウインドウを一斉に開ける動作）
図５（ａ）は、実施の形態に係るウインドウ開閉装置になされた全てのウインドウを一斉に開ける動作を説明するための概略図である。
【００５９】
操作者は、例えば、図５（ａ）に示すように、指を４本用いて、右前ノブ２ａの先端部２０、左前ノブ３ａの先端部３０、右後ノブ４ａの先端部４０、及び左後ノブ５ａの先端部５０を押し下げる。
【００６０】
右前ノブ２ａ及び左前ノブ３ａが、支持軸１５を回転軸として凹部１２の底部１２ｅ方向に回転すると共に、右後ノブ４ａ及び左後ノブ５ａが、支持軸１６を回転軸として凹部１２の底部１２ｅ方向に回転する。
【００６１】
この押下操作により、スイッチ２ｂ、スイッチ３ｂ、スイッチ４ｂ及びスイッチ５ｂが第１のオン状態となり、押下操作を示す信号を制御部６００に出力する。
【００６２】
制御部６００は、スイッチ２ｂ、スイッチ３ｂ、スイッチ４ｂ及びスイッチ５ｂから取得した引上操作を示す信号に基づいてモータ６１０ａ、モータ６２０ａ、モータ６３０ａ及びモータ６４０ａを制御して右前ウインドウ６１０、左前ウインドウ６２０、右後ウインドウ６３０及び左後ウインドウ６４０を開ける方向に駆動させる。従って、操作者は、全てのウインドウを一斉に開けることができる。
【００６３】
（実施の形態の効果）
本実施の形態に係るウインドウ開閉装置１は、操作者が容易に前後のスイッチを認識することができる。具体的には、ウインドウ開閉装置１は、右前ノブ２ａの先端部２０及び左前ノブ３ａの先端部３０が、右後ノブ４ａの先端部４０及び左後ノブ５ａの先端部５０とは異なる方向に向くように配置されるので、右前ウインドウ６１０及び左前ウインドウ６２０を開閉する操作と、右後ウインドウ６３０及び左後ウインドウ６４０を開閉する操作と、が異なり、操作者から見て同様の操作となる場合と比べて、容易に前後のスイッチを認識することができる。
【００６４】
また、ウインドウ開閉装置１は、操作者から見え難い範囲にある右後ウインドウ６３０及び左後ウインドウ６４０を開閉する操作の方が、操作者から見える範囲にある右前ウインドウ６１０及び左前ウインドウ６２０を開閉する操作よりも操作がし難いので、前方のウインドウを開閉するノブなのか、後方のウインドウを開閉するノブなのか、の判別が付き易い。従って、ウインドウ開閉装置１は、認識した上で閉じる操作を行わせなければならない後方のウインドウを閉じる操作を、操作者に意識させた上で行わせることができる。
【００６５】
ウインドウ開閉装置１は、押下操作において、右前ウインドウスイッチ２及び左前ウインドウスイッチ３と、右後ウインドウスイッチ４及び左後ウインドウスイッチ５と、の手に対する回転軸の位置の違いに基づいて操作感が異なるので、操作者は、操作するスイッチが前方のスイッチなのか後方のスイッチなのかを認識することができる。
【００６６】
ウインドウ開閉装置１は、操作者が、例えば、肘掛６１２に右前腕をのせたときに、その指が操作領域１４にかかるように配置されるので、ノブが同じ方向に向くものと比べて、操作者は、操作領域１４を基準にして前後のウインドウを開閉できるスイッチを認識し易い。
【００６７】
また、ウインドウ開閉装置１は、ウインドウを閉じる場合に比べて、体の一部等を挟み込む可能性が低い、ウインドウを開ける操作を一斉に行うことができるので、操作性が良い。
【００６８】
ウインドウ開閉装置１は、操作者が操作するノブの先端部が向かい合っているので、向かい合っていない場合と比べて、操作領域１４が小さくなって小型化が容易となる。
【００６９】
なお、上記のウインドウ開閉装置１は、車両６の前方に後方のウインドウを開閉するスイッチが配置され、車両６の後方に、前方のウインドウを開閉するスイッチが配置されたが、これに限定されず、前後が逆の配置となっても良い。
【００７０】
（変形例）
図５（ｂ）は、変形例に係るウインドウ開閉装置１の上面図である。図５（ｂ）の紙面左側が車両６の前方であり、右側が後方である。なお、変形例では、実施の形態と同じ機能及び構成を有する部分は、実施の形態と同じ符号を付し、その説明は省略するものとする。以下では、実施の形態と異なる点について説明する。
【００７１】
変形例に係るウインドウ開閉装置１は、例えば、図５（ｂ）に示すように、右前ウインドウスイッチ２及び左前ウインドウスイッチ３が、車両６の前方側で、かつ、それぞれの先端部が車両６の前方を向くように配置され、右後ウインドウスイッチ４及び左後ウインドウスイッチ５が、車両６の後方側で、かつ、それぞれの先端部が車両６の後方を向くように配置されている。言い換えるなら、ウインドウ開閉装置１は、例えば、右前ノブ２ａの端部２２が、右後ノブ４ａの端部４２と向かい合い、左前ノブ３ａの端部３２が、左後ノブ５ａの端部５２と向かい合うように配置されている。
【００７２】
このウインドウ開閉装置１は、例えば、車両６の前方側に右前ウインドウスイッチ２及び左前ウインドウスイッチ３の操作領域１４ａが形成され、後方側に右後ウインドウスイッチ４及び左後ウインドウスイッチ５の操作領域１４ｂが形成されている。
【００７３】
また、ウインドウ開閉装置１は、例えば、凹部１２の長手方向の中央に仕切板１０ｃが設けられている。この仕切板１０ｃには、例えば、右前ウインドウスイッチ２及び左前ウインドウスイッチ３を回転可能に支持する支持軸１５と、右後ウインドウスイッチ４及び左後ウインドウスイッチ５を回転可能に支持する支持軸１６と、が貫通して設けられている。それぞれの支持軸の端部は、例えば、本体１０に支持されている。
【００７４】
それぞれのウインドウを開ける操作は、例えば、右前ウインドウスイッチ２の先端部２０、左前ウインドウスイッチ３の先端部３０、右後ウインドウスイッチ４の先端部４０、及び左後ウインドウスイッチ５の先端部５０に対して押下操作を行うことで行われる。
【００７５】
右前ウインドウ６１０及び左前ウインドウ６２０を閉じる操作は、例えば、操作領域１４ａに指を挿入し、右前ノブ２ａ及び左前ノブ３ａに対して引上操作を行うことで行われる。
【００７６】
また、右後ウインドウ６３０及び左後ウインドウ６４０を閉じる操作は、例えば、手のひらを返して指の腹を操作領域１４ｂに挿入し、右後ノブ４ａ及び左後ノブ５ａに対して引上操作を行うことで行われる。
【００７７】
さらに、変形例に係るウインドウ開閉装置１は、実施の形態で示したように、操作者が全てのウインドウを一斉に開けることができる。
【００７８】
従って、変形例に係るウインドウ開閉装置１は、ノブの配置が、ウインドウの配置に対応しているので、操作性が向上する。また、ウインドウ開閉装置１は、右前ウインドウ６１０及び左前ウインドウ６２０を開閉する操作と、右後ウインドウ６３０及び左後ウインドウ６４０を開閉する操作と、が異なり、操作者から見て同様の操作となる場合と比べて、容易に前後のスイッチを認識することができる。
【００７９】
以上、本発明のいくつかの実施の形態及び変形例を説明したが、これらの実施の形態及び変形例は、一例に過ぎず、特許請求の範囲に係る発明を限定するものではない。これら新規な実施の形態及び変形例は、その他の様々な形態で実施されることが可能であり、本発明の要旨を逸脱しない範囲で、種々の省略、置き換え、変更等を行うことができる。また、これら実施の形態及び変形例の中で説明した特徴の組合せの全てが発明の課題を解決するための手段に必須であるとは限らない。さらに、これら実施の形態及び変形例は、発明の範囲及び要旨に含まれるとともに、特許請求の範囲に記載された発明とその均等の範囲に含まれる。
【符号の説明】
【００８０】
１…ウインドウ開閉装置
２…右前ウインドウスイッチ
２ａ…右前ノブ
２ｂ…スイッチ
３…左前ウインドウスイッチ
３ａ…左前ノブ
３ｂ…スイッチ
４…右後ウインドウスイッチ
４ａ…右後ノブ
４ｂ…スイッチ
５…左後ウインドウスイッチ
５ａ…左後ノブ
５ｂ…スイッチ
６…車両
１０…本体
１０ａ〜１０ｃ…仕切板
１２…凹部
１２ａ〜１２ｄ…第１の凹部〜第４の凹部
１２ｅ…底部
１２ｆ、１２ｇ…開口部
１４、１４ａ、１４ｂ…操作領域
１５、１６…支持軸
２０…先端部
２１…操作凹部
２２…端部
３０…先端部
３１…操作凹部
３２…端部
４０…先端部
４１…操作凹部
４２…端部
５０…先端部
５１…操作凹部
５２…端部
６１…右前ドア
６２…左前ドア
６３…右後ドア
６４…左後ドア
６００…制御部
６１０…右前ウインドウ
６１０ａ…モータ
６１１…パネル
６１２…肘掛
６１３…上面
６２０…左前ウインドウ
６２０ａ…モータ
６３０…右後ウインドウ
６３０ａ…モータ
６４０…左後ウインドウ
６４０ａ…モータ
【図１】
2013157105.tif 000003
【図２】
2013157105.tif 000004
【図３】
2013157105.tif 000005
【図４】
2013157105.tif 000006
【図５】
2013157105.tif 000007